(57)【要約】      （修正有）【課題】メイン指令センターへ移動せずに指令者が指令を行うことができる、色による穀粒電子選別機に応用されるワイヤレスシステムを提供する。【解決手段】送信／受信装置は処理センターと通信するするワイヤレス固定送信／受信装置２を備えた固定監視・調整モジュール６、及びワイヤレス送信機５を備えた携帯指令・コントロール装置３からなる。【選択図】図１
0003153044.tif 000002
【実用新案登録請求の範囲】
【請求項１】
色による穀粒電子選別機（4）に設置・設定されるワイヤレス通信システム（1）であって、送信／受信装置は処理センターと通信するするワイヤレス固定送信／受信装置（2）を備えた固定監視・調整モジュール（6）、及び監視・調整モジュール（6）の送信／受信装置（2）へ指令を送信するワイヤレス送信機（5）を備えた携帯指令・コントロール装置（3）を備えていることを特徴とする、色による穀粒電子選別機に応用されるワイヤレスシステム。
【請求項２】
可動ワイヤレス送信機（5）を備えた携帯コントローラー（3）を特徴とする、色による穀粒電子選別機に応用されるワイヤレスシステム。
【考案の詳細な説明】
【技術分野】
【０００１】
本実用新案申請は、色による穀粒電子選別機に応用するワイヤレス技術の新しい利用方法に関する。
【背景技術】
【０００２】
従来の技術では、端末機間の接続と通信にはまだワイヤーやケーブルが必要である、すなわち、各機械の監視を担当するメイン指令センター付の穀粒電子選別機のＣＰＵを要する。米、コーヒー豆、グリーピース、レンズ豆、コーン、小麦、エンバク、大豆その他粒状の各種生産品の選別・格付けプロセスは、基本的に5段階の機能、すなわち供給ホッパー、振動シュート（軽量装置）付電磁振動器、搬送シュート、電子光学式読み取りカメラ、放出バルブからなる。
【０００３】
この場合、監視プロセス全体の実施はまだ、工程の管理及び設備の調整のために2名以上の人間を必要とする。従来の技術ではさらに、ワイヤレス技術は電子端末機（主にコンピューター）を、ケーブルで接続することなく、無線電波でつなぐことができるものである。この技術の登場により、工業の多種多様な部門において多くの発明が生み出され、市場に新規の製品を出すために使用されるようになった。
【０００４】
たとえば、電気・電子技術分野に属するＭＵ8501696-9―マウスとキーボードの機能の無線遠隔操作のためにコンピューターに取り付けられる装置は、リモートコントローラー（1）で、無線電波（3）によって、コンピューターのマウス又はキーボードの遠隔操作を可能にする電子装置（2）からなる。同装置は、コンピューターの通常の通信ポート（4）を介してパソコン（5）に接続される無線電波受信機（2）からなる。
【０００５】
もう一つの例は「ＭＵ8502998-0―無線（「ワイヤレス」）リモートアクチュエーターである。本実用新案無線（ワイヤレス）遠隔アクチュエーターは機器の接続のために大きなインフラストラクチャーを必要することなくオートメ化・保安システム導入を容易にする。図1によって説明すると、携帯、可動又は固定アクチュエーターＴＸ（1）及び受信器（アクチュエーターＲＸ（11）があり、アクチュエーターＴＸ（1）は受信器ＲＸ（11）へコード化された無線信号（3）を送り、受信器ＲＸ（11）はモーター、エンジンポンプ、ライト、アラーム、サイレン、電動扉などのリレーの接触子（9）の出力側を通じて特定の機器の作動を担う回路（8）を作動する。」
【０００６】
もう一つの従前発明は「ＭＵ8502998-0―無線（「ワイヤレス」）リモートアクチュエーターである。本実用新案無線（ワイヤレス）遠隔アクチュエーターは機器の接続のために大きなインフラストラクチャーを必要することなくオートメ化・保安システム導入を容易にする。図1によって説明すると、携帯、可動又は固定アクチュエーターＴＸ（1）及び受信器（アクチュエーターＲＸ（11）があり、アクチュエーターＴＸ（1）は受信器ＲＸ（11）へコード化された無線信号（3）を送り、受信器ＲＸ（11）はモーター、エンジンポンプ、ライト、アラーム、サイレン、電動扉などのリレーの接触子（9）の溶接を通じて特定の機器の作動を担う回路（8）を作動する。
【先行技術文献】
【特許文献】
【０００７】
【特許文献１】伯国実用新案第ＭＵ８５０１６９６−９号明細書
【特許文献２】伯国実用新案第ＭＵ８５０２９９８−０号明細書
【考案の概要】
【考案が解決しようとする課題】
【０００８】
各従前発明において、計量装置はさまざまな形で使用されているが、そのいずれにおいても、色による穀粒電子選別機において無線通信システム（ワイヤレスシステム）によって工程を監視するために本技術が使用されている例は見当たらない。
【０００９】
穀粒計量装置の監視は、ワイヤレス技術を使用して機器自体において行うことができ、ワイヤーやケーブルを必要とせず、その代わりに無線電波による通信を使用する。色による穀粒電子選別機に応用する本技術の使用は、従来の方法に比べて多くの利点があり、いろいろ不都合な点を回避し、色による穀粒電子選別機による生産ライン全体を監視する人員の数を大幅に減らすことが可能である。
【００１０】
本発明は低生産性、規定の標準に適わない最終製品、メイン指令センターで変更を行うために頻繁に移動しなければならないなど現在見られる不都合を解決することを目的とする。
【課題を解決するための手段】
【００１１】
発明者は、色による穀粒電子選別機にワイヤレスとして知られる技術を使用して前記課題を解決することを目的として、指令センター制御の生産ラインにおける新規の遠隔監視・調整・制御システムを考案した。これは、ワイヤレス通信装置により、操作者がノートブック、パームトップ、携帯電話その他の通信機を使用するだけで電子選別機による穀粒選別工程を監視し、その指令を調整・変更できるものである。選別機にワイヤレスシステムを使用するという革新的な試みにより、同機は格段に便利さ及び効率がアップし、人件費及び監視に必要な作業員の人数を大幅に減らすことができる。さらなる利点は、すべての情報は無線データ通信技術、すなわち電話回線、同軸又は光学ケーブルを使用することなくさまざまな位置間を接続することのできるワイヤレス技術によって伝達されることである。
【考案の効果】
【００１２】
この考案は、メイン指令センター―被監視機械間の直接的通信を人間―機械インターフェースによって行えるようにすることである。すなわち、変更の指令を出す場合、メイン指令センターに指令者がいる必要はなく、各機械の識別ＩＰをアクセスポートとして、ノートブック、パームトップ、携帯電話その他の通信手段を使用するだけで、時間・選別速度の変更・調整、粒度・色の測定、不良穀粒廃棄その他の指令を、色による穀粒電子選別機に応用するワイヤレスシステムのみを使用して行うことができる。
【図面の簡単な説明】
【００１３】
【図１】色による穀粒電子選別機に応用するワイヤレス通信装置を使用する指令センターによる生産ライン遠隔監視・調整・制御システムの構造図を示す。
【図２】イメージ図を示す。
【考案を実施するための形態】
【００１４】
本実用新案申請の対象たるこのシステムは、別添図の説明と符号によってより容易に理解できる。
【００１５】
別添図は同システムの構造図を示し、下記の符号を添えることによってより容易に理解できる。しかし、実用におけるその寸法や素材は特に限定しない。
【００１６】
本申請は、色による穀粒電子選別機（4）に設置・設定されるワイヤレス通信システム（1）であって、送信／受信装置は処理センターから送られる即時調整のためのデータを送信・受信・処理するワイヤレス固定送信／受信装置（2）を備えた固定監視・調整モジュール（6）、及び各監視・調整モジュールごとに個別的に調整又は送信／受信装置（2）へ指令を送信するために操作者が工場のどこへでも携帯できるワイヤレス送信機（5）を備えた携帯指令・コントロール装置（3）を備えており、現場で、又は遠隔的に、個別的に各色による穀粒電子選別機（4）の正確な調整ができる。
【００１７】
各従前発明において、計量装置はさまざまな形で使用されているが、そのいずれにおいても、色による穀粒電子選別機において無線通信システム（ワイヤレスシステム）によって工程を監視するために本技術が使用されている例は見当たらない。
【００１８】
穀粒計量装置の監視は、ワイヤレス技術を使用して機器自体において行うことができ、ワイヤーやケーブルを必要とせず、その代わりに無線電波による通信を使用する。色による穀粒電子選別機に応用する本技術の使用は、従来の方法に比べて多くの利点があり、いろいろ不都合な点を回避し、色による穀粒電子選別機による生産ライン全体を監視する人員の数を大幅に減らすことが可能である。
【００１９】
本発明は低生産性、規定の標準に適わない最終製品、メイン指令センターで変更を行うために頻繁に移動しなければならないなど現在見られる不都合を解決することを目的とする。
【００２０】
発明者は、色による穀粒電子選別機にワイヤレスとして知られる技術を使用して前記課題を解決することを目的として、指令センター制御の生産ラインにおける新規の遠隔監視・調整・制御システムを考案した。これは、ワイヤレス通信装置により、操作者がノートブック、パームトップ、携帯電話その他の通信機を使用するだけで電子選別機による穀粒選別工程を監視し、その指令を調整・変更できるものである。選別機にワイヤレスシステムを使用するという革新的な試みにより、同機は格段に便利さ及び効率がアップし、人件費及び監視に必要な作業員の人数を大幅に減らすことができる。さらなる利点は、すべての情報は無線データ通信技術、すなわち電話回線、同軸又は光学ケーブルを使用することなくさまざまな位置間を接続することのできるワイヤレス技術によって伝達されることである。
【００２１】
この考案は、メイン指令センター―被監視機械間の直接的通信を人間―機械インターフェースによって行えるようにすることである。すなわち、変更の指令を出す場合、メイン指令センターに指令者がいる必要はなく、各機械の識別ＩＰをアクセスポートとして、ノートブック、パームトップ、携帯電話その他の通信手段を使用するだけで、時間・選別速度の変更・調整、粒度・色の測定、不良穀粒廃棄その他の指令を、色による穀粒電子選別機に応用するワイヤレスシステムのみを使用して行うことができる。
【産業上の利用可能性】
【００２２】
本技術は穀粒電子選別機工業によって開発・販売され、ありとあらゆる種類の穀粒の保管・選別・包装業者によって使用されるだろう。
【図１】
0003153044.tif 000003
【図２】
0003153044.tif 000004